(57)【要約】【課題】  主に幼児、児童等といった子供が遊ぶために使用する遊具に関し、特にはスキー場のゲレンデで使用する遊具を提供する。【解決手段】  遊具１０は、合成樹脂からなる中空状の円柱体１１と、該円柱体１１の一端に設けられて所定の演出効果を醸し出す演出体１２とを備えており、前記円柱体１１において前記演出体１２が設けられた一端とは反対側となる他端部には、他の箇所と比べて径が短くなっている縮径部１３が設けられている。【選択図】      図１
2010172696.tif 000002
【特許請求の範囲】
【請求項１】
合成樹脂からなる中空状の円柱体と、該円柱体の一端に設けられて所定の演出効果を醸し出す演出体とを備えており、
前記円柱体において前記演出体が設けられた一端とは反対側となる他端部には、他の箇所と比べて径が短くなっている縮径部が設けられている
ことを特徴とする遊具。
【請求項２】
前記演出体は、前記円柱体に対して連結体を介して連結されており、前記演出体がゴム又はエラストマーからなる中空体からなり、前記連結体が、演出体である該中空体を包み込むネット部と、該ネット部から延びて前記円柱体の内部に配置された紐部と、該紐部の先端に取り付けられて前記円柱体の外部で他端に配置された抜け止め部と、によって構成されている請求項１に記載の遊具。
【請求項３】
前記円柱体の縮径部がゲレンデに埋設されて使用される請求項１又は請求項２に記載の遊具。
【請求項４】
ゲレンデに立設されたゲートに前記円柱体の縮径部を吊持させて使用される請求項１又は請求項２に記載の遊具。
【請求項５】
ゲレンデに立設されたゲート又はポールに前記円柱体を回転自在に支持させて使用される請求項１又は請求項２に記載の遊具。
【発明の詳細な説明】
【技術分野】
【０００１】
本発明は、主に幼児、児童等といった子供が遊ぶために使用する遊具に関し、特にはスキー場のゲレンデで使用する遊具に関するものである。
【背景技術】
【０００２】
従来、子供用の遊具として、例えば、特許文献１、特許文献２に示すようなものがある。またスキー場のゲレンデで子供達は、主にはソリ、スキーを使って遊ぶが、その一方でスキー場にある様々な設備を用い、ソリ、スキーを使いながら自ら考案した遊びに興じている。このとき、子供達が目をつけるスキー場の設備として、コースガイド用のポールが挙げられる。
【先行技術文献】
【特許文献】
【０００３】
【特許文献１】実開昭５５−１３１２６７号公報
【特許文献２】特開２００１−１６１８８０号公報
【発明の概要】
【発明が解決しようとする課題】
【０００４】
ところが、上記従来の特許文献１、特許文献２に示されるような遊具は、ソリ、スキーを使いながら遊べるものではないという問題がある。またコースガイド用のポールは、硬く、弾性が強いため、遊んでいる最中に子供達が怪我をしてしまうおそれがある。
【課題を解決するための手段】
【０００５】
本発明は、上記従来の問題点を解決し、主に幼児、児童等といった子供が遊ぶために使用する遊具、特にはスキー場のゲレンデで使用する遊具を提供することを課題とするものであり、本発明にあっては、合成樹脂からなる中空状の円柱体と、該円柱体の一端に設けられて所定の演出効果を醸し出す演出体とを備えており、前記円柱体において前記演出体が設けられた一端とは反対側となる他端部には、他の箇所と比べて径が短くなっている縮径部が設けられている遊具が提供される。
前記演出体は、前記円柱体に対して連結体を介して連結されており、前記演出体がゴム又はエラストマーからなる中空体からなり、前記連結体が、演出体である該中空体を包み込むネット部と、該ネット部から延びて前記円柱体の内部に配置された紐部と、該紐部の先端に取り付けられて前記円柱体の外部で他端に配置された抜け止め部と、によって構成されていることが望ましい。
また前記円柱体の縮径部がゲレンデに埋設されて使用されるか、あるいはゲレンデに立設されたゲートに前記円柱体の縮径部を吊持させて使用されることが望ましく、ゲレンデに立設されたゲート又はポールに前記円柱体を回転自在に支持させて使用されることが望ましい。
【発明の効果】
【０００６】
〔作用〕
本発明の遊具においては、円柱体の一端に設けられた演出体が子供達の興味を引き、さらに円柱体に設けられた縮径部を子供達は、雪中に埋めたり、吊ったり、把持したり等、様々な工夫を凝らして利用することができる。加えて、円柱体は、合成樹脂を材料とした中空状のものであるため、当たっても痛いものとならず、乱雑に扱っても多少の変形であればその形状を復元させることができる。
また演出体を円柱体に連結体を介して連結する構成とすれば、演出体あるいは円柱体の何れか一方が破損した場合でも、破損部分のみ交換することができる。さらに演出体をゴム又はエラストマーからなる中空体とすれば、本発明の遊具を、例えばパンチングマシーンのようにして使用したり、チャンバラごっこに使用したり等のように遊具としての利用の幅を広げることが出来る。さらに演出体を中空体として、連結体をネット部と、紐部と、抜け止め部とで構成すれば、例えば温度差などで中空体がしぼんだりしても、紐部をねじったり、引っ張って抜け止め部で止め直したり等することで、簡便に修繕することができる。
また前記円柱体の縮径部をゲレンデに埋設して使用すれば、本発明の遊具をコースガイド用のポールとしても利用することができ、この場合は子供達のポールへの接触による事故等の発生を抑制することができ、さらに、こうしたポールを利用した子供達の遊びの幅も広げることができる。加えて、ゲレンデに立設されたゲートに縮径部を吊持させて使用したり、あるいはゲレンデに立設されたゲート又はポールに円柱体を回転自在に支持させて使用したりすれば、本発明の遊具を、例えばパンチングマシーンのようにして使用したり、障害物として使用したり等のように遊具としての利用の幅を広げることが出来る。
【０００７】
〔効果〕
本発明では、主に幼児、児童等といった子供が遊ぶために使用する遊具、特にはスキー場のゲレンデで使用する遊具を提供することができる。
【図面の簡単な説明】
【０００８】
【図１】第１実施形態の遊具を示す一部を破断した正面図。
【図２】第１実施形態の遊具の一部を拡大した斜視図。
【図３】第１実施形態の遊具の使用状態を示す正面図。
【図４】第２実施形態の遊具の使用状態を示す正面図。
【図５】第３実施形態の遊具の一部を拡大した斜視図。
【図６】（ａ）〜（ｆ）は第４実施形態の遊具の一部を拡大した斜視図。
【図７】第５実施形態の遊具を示す一部を破断した正面図。
【図８】第６実施形態の遊具の使用状態を示す正面図。
【図９】第７実施形態の遊具の使用状態を示す正面図。
【図１０】第８実施形態の遊具を示す一部を破断した正面図。
【図１１】第８実施形態の遊具の使用状態を示す一部を破断した正面図。
【図１２】第９実施形態の遊具の使用状態を示す正面図。
【図１３】第１０実施形態の遊具の使用状態を示す正面図。
【図１４】別形態の遊具を示す一部を破断した正面図。
【発明を実施するための形態】
【０００９】
（第１実施形態）
以下、本発明の遊具を具体化した第１実施形態を図面に基づいて説明する。
図１に示すように、遊具１０は、円柱体１１と、円柱体１１の一端（図１中で上端）に取り付けられた演出体１２と、を有している。
円柱体１１は、合成樹脂を材料として中空状に形成されている。この円柱体１１の他端部（図１中で下端部）には、他の箇所と比べて径を短くすることにより、縮径部１３が形成されている。円柱体１１の材料となる合成樹脂としては、柔らかさ、弾性、形状復元性などの観点から、ポリエチレン、ポリプロピレンなどのポリオレフィン、ポリ塩化ビニル、ナイロンなどが挙げられる。
円柱体１１は、その全体形状がバット状とされており、このため縮径部１３は、他の箇所と段差無く斜面状に繋がっている。これは、子供達の手の大きさが様々であり、いずれの大きさの手であっても遊具１０を掴みやすくするためである。
演出体１２は、ゴム又はエラストマーを材料とし、中空体である球形状に形成されている。このようにゴム又はエラストマーを材料とした演出体１２は、子供達が多少乱雑に扱っても割れたり、破裂したり等の破損を起こしにくく、また柔らかさとクッション性に富むため、遊具として好適である。
【００１０】
球形状の演出体１２は、円柱体１１に対して連結体を介して連結されている。この連結体は、演出体１２を包み込むネット部１４と、ネット部１４から延びて円柱体１１の内部に配置された紐部１５と、紐部１５の先端（図１中で下端）に取り付けられて円柱体１１の外部で他端に配置された抜け止め部１６と、によって構成されている。
ネット部１４は、天然繊維、合成繊維などの繊維、あるいはゴムを材料とした網体からなり、球形状の演出体１２をその内部に包み込むことで、この演出体１２が円柱体１１から外れてしまうことを防止している。紐部１５は、天然繊維、合成繊維などの繊維、あるいはゴムを材料とした線状体からなり、ネット部１４を引っ張ることで、円柱体１１の一端に演出体１２を固定している。抜け止め部１６は、紐部１５の先端に接続されて円柱体１１の外部に配置されることで、ネット部１４を引っ張る紐部１５が円柱体１１の内部から引き抜かれてしまうことを防止している。
図２に示すように、この連結体については、ネット部１４を引っ張る張力を調整することが可能となっている。すなわち、抜け止め部１６を回転させると、紐部１５は、円柱体１１の内部で撚りが加わり、よじれることでその長さが短くなるため、ネット部１４を引っ張る張力が強くなり、ネット部１４に包まれた演出体１２を円柱体１１の一端に強く締め付け固定する。これとは逆方向に抜け止め部１６を回転させると、紐部１５は、円柱体１１の内部で撚りが解かれ、よじれが解消されることでその長さが長くなるため、ネット部１４を引っ張る張力が弱くなり、ネット部１４に包まれた演出体１２の締め付けが弱くなる。例えば、冷間時に演出体１２がしぼんだ場合には、紐部１５をねじって演出体１２の締め付けを強くし、暖かくなって演出体１２が膨らんだ場合には、紐部１５のねじりを解消して、演出体１２の締め付けを弱めるという使い方が出来る。
【００１１】
図３に示すように、この実施形態の遊具１０は、円柱体１１の縮径部１３をゲレンデ２１の雪中に埋設することで、コース指示などのポールとして使用される。このとき、縮径部１３は他箇所に比べて太さが細く、また段差無く斜面状に繋がっているため、雪との間の隙間を崩れた雪が埋めることで、ゲレンデ２１上にしっかりと固定される。そして、子供達は、遊具１０によるポールに従ってコースを滑走したり、あるいは滑走中に遊具１０の演出体１２をいくつ叩くことが出来るか競ったりしながら遊ぶことが出来る。また円柱体１１と演出体１２は、共に中空体であるため、子供達がぶつかった場合でも、この遊具１０がクッションとなることで怪我を防止される。
また連結体の少なくとも紐部１５、あるいは紐部１５とさらにはネット部１４をゴム製とした場合、ゴム弾性によって紐部１５、又は紐部１５とネット部１４が伸縮することで、演出体１２を円柱体１１の周囲のあらゆる方向（３６０゜方向）に動かすことが出来るようになる。これにより、遊具１０のクッション性能が増すため、子供達がぶつかった場合の安全性を高めることができ、さらに演出体１２を可倒式とすることができ、動きが面白くなると共に、演出体１２が倒れてしまった場合でも該演出体１２を元の位置に自動的に復帰させることができる。
【００１２】
（第２実施形態）
以下、本発明の遊具を具体化した第２実施形態を図面に基づいて説明する。なお、この実施形態を含む以下の実施形態については、第１実施形態と異なる点を中心に説明する。
図４に示すように、この実施形態の遊具１０において、図中左側のものは、縮径部１３の長さが延長されている。一方、図中右側のものは、縮径部１３の中間部に突部１３ａが設けられている。
上記のように縮径部１３を変更することにより、ゲレンデ２１上に遊具１０を突き立ててポールとして使用する場合の、円柱体１１の安定感を増すことが出来る。
【００１３】
（第３実施形態）
図５に示すように、この実施形態の遊具１０は、演出体１２Ａを風車としている。また連結体には、ネット部１４に代えて、風車である演出体１２Ａを回転させるための軸部（図示略）が設けられている。
上記のように演出体１２Ａを風車とすることにより、子供達による遊具１０の遊びの幅を広げることが出来る。
【００１４】
（第４実施形態）
図６に示すように、この実施形態の遊具１０は、演出体を様々な形状としている。図６（ａ）は演出体１２ａを矩形状とし、（ｂ）は演出体１２ｂを円柱台状とし、（ｃ）は演出体１２ｃを三角錐状とし、（ｄ）は演出体１２ｄを略タイヤ状とし、（ｅ）は演出体１２ｅを多面板状とし、（ｆ）は演出体１２ｆを動物状としている。
上記のように演出体を様々な形状とすることにより、子供達は想像を膨らませつつ、各自が趣向を凝らし、遊具１０の遊びの幅を広げるようになる。
【００１５】
（第５実施形態）
図７に示すように、この実施形態の遊具１０は、円柱体１１と演出体１２とが一体的に成形されている。
上記のように円柱体１１と演出体１２とを一体成形すれば、連結体等の構成を省略することができ、部品点数の低減、製造コストの低減を図ることができる。
【００１６】
（第６実施形態）
図８に示すように、この実施形態の遊具１０は、ゲレンデに立設されたゲート２２に円柱体１１の縮径部１３を吊持させて使用されている。また演出体１２を包むネット部１４には、揺動部となる紐２３を介して、鈴２４が取り付けられている。
上記構成とした場合、遊具１０を揺らす毎に鈴２４を鳴らすことが出来、子供達が趣向を凝らすことで、遊具１０による遊びの幅を広げることができる。
【００１７】
（第７実施形態）
図９に示すように、この実施形態の遊具１０は、ゲレンデに立設されたゲート２２に円柱体１１の縮径部１３を吊持させて使用されている。また演出体１２に代えて、鐘からなる演出体１２Ｂが、揺動部となるリング２３ｂを介して円柱体１１の一端（図中で下端）に取り付けられている。
上記構成とした場合、遊具１０を揺らす、あるいは鐘からなる演出体１２Ｂを叩くことで演出体１２Ｂを鳴らすことが出来、子供達が趣向を凝らすことで、遊具１０による遊びの幅を広げることができる。
【００１８】
（第８実施形態）
図１０に示すように、この実施形態の遊具１０は、図１中に描いた遊具１０に比べて、球形状の演出体１２を大きなものとし、円柱体１１を短いものとしている。
図１１に示すように、この実施形態の遊具１０は、円柱体１１の全てをゲレンデ２１の雪中に埋設し、演出体１２のみを雪面上に出すことで、コース指示などのポールとして使用される。そして、子供達、特に背の低い幼児等は、遊具１０によるポールに従ってコースを滑走したり、あるいは滑走中に演出体１２をいくつ叩くことが出来るか競ったりしながら遊ぶことが出来る。
【００１９】
（第９実施形態）
図１２に示すように、この実施形態の遊具１０は、ゲレンデ２１に立設されたポール２５の上端に円柱体１１を回転自在に支持させて使用されている。
すなわち、該ポール２５は、ゲレンデ２１に差し込まれた支柱２５ａと、２つの円筒状部材をＴ字状に組み合わせて構成した回転座２５ｂとからなり、該支柱２５ａの上端に該回転座２５ｂを縦方向（支柱２５ａの軸線方向）から回転自在に差し込んで構成されたものである。遊具１０はその円柱体１１を、該ポール２５の回転座２５ｂに、横方向（支柱２５ａの軸線と直交方向）から挿通されている。
上記構成とした場合、遊具１０の演出体１２を揺らす、叩く等することにより、該遊具１０をゲレンデ２１の雪面と平行な面内で３６０°方向に横回転させることが出来、子供達が趣向を凝らすことで、遊具１０による遊びの幅を広げることができる。
【００２０】
（第１０実施形態）
図１３に示すように、この実施形態の遊具１０は、ゲレンデに立設されたゲート２２の上部に遊嵌された円筒体２６に縛り付けられている。該円筒体２６は、ゲート２２に遊嵌されていることから、該ゲート２２に対して回転自在となっており、このため円筒体２６に縛り付けられた遊具１０は、演出体１２を揺らす、叩く等することにより、ゲレンデ２１の雪面と直交する面内で３６０°方向に縦回転させることが出来、子供達が趣向を凝らすことで、遊具１０による遊びの幅を広げることができる。
【００２１】
なお、上記各実施形態は、次のように変更してもよい。
図１４に示すように、中空体である演出体１２の内部に鈴２４を入れることで、該演出体１２を揺らす、叩く等したときに音が鳴るように構成してもよい。
各実施形態ではネット部１４で演出体を包み込んでいたが、これに限らず、粘着テープ、紐等を用いて演出体を包み込んでもよい。あるいは演出体がゴム、エラストマー、合成樹脂発泡体などの弾性材料からなるものであれば、その一部を引っ張ってのばし、のばした部位をピンや針等を使って円柱体１１にとめてもよい。
ゲレンデ上に複数のゲートが設置されている場合、全てのゲートに遊具１０を取り付ける必要はなく、例えばゴールとなる１つのゲートに遊具１０を取り付け、残りのゲートにはのれんを取り付ける等してもよい。また同様に、第９実施形態でゲレンデ上に複数の複数のポール２５が設置されている場合、全てのポール２５に遊具１０を取り付ける必要はなく、例えばゴールとなるポール２５に遊具１０を取り付け、残りのポール２５にはそれぞれ音色が異なる鐘や鈴をとりつけてもよい。
第９実施形態の遊具１０では円柱体１１の一端にのみ演出体１２が取り付けられた構成としたが、円柱体１１の両端に演出体１２をそれぞれ取り付けた構成としてもよい。
各実施形態では遊具１０をゲレンデに埋設する、あるいはゲートに吊持させる等して使用していたが、円柱部１１、演出部１２、あるいは縮径部１３の何れかを手で持って使用してもよい。
第６、第７実施形態において、図８、図９中では、円柱体１１として図１０に示したもの、つまり図１に描いたものに比べて短いものを描いたが、これに限らず、円柱体１１として図１に描いたものを使用してもよく、あるいは図１０に示したものよりさらに短いものを使用してもよい。
【符号の説明】
【００２２】
１０      遊具
１１      円柱体
１２      演出体
１３      縮径部
１４      ネット部
１５      紐部
１６      抜け止め部
【図１】
2010172696.tif 000003
【図２】
2010172696.tif 000004
【図３】
2010172696.tif 000005
【図４】
2010172696.tif 000006
【図５】
2010172696.tif 000007
【図６】
2010172696.tif 000008
【図７】
2010172696.tif 000009
【図８】
2010172696.tif 000010
【図９】
2010172696.tif 000011
【図１０】
2010172696.tif 000012
【図１１】
2010172696.tif 000013
【図１２】
2010172696.tif 000014
【図１３】
2010172696.tif 000015
【図１４】
2010172696.tif 000016